(57)【特許請求の範囲】
【請求項１】
流体を吐出する洗浄ノズルを移動させて行う人体局部の洗浄について通常洗浄と広範囲洗浄を切替える人体洗浄装置において、
前記洗浄ノズルを収納する本体部と、
前記本体部に対して前記洗浄ノズルを進退自在に移動させる駆動手段と、
前記洗浄ノズルの移動方向上で前記洗浄ノズルの先端部に配設された複数の吐出孔からなる洗浄口と、
前記洗浄ノズルの内部を摺動することにより前記洗浄口の面積を可変し、一方に前記洗浄口へ流体を排出する排出部を有し、他方に流体を供給する供給部を有する洗浄範囲調節部と、
前記洗浄ノズルと前記洗浄範囲調節部との間に配設されたシール部と、
前記洗浄範囲調節部の前記供給部側に形成され、前記本体部に対して平行な突部と、
前記本体部の前記洗浄範囲調節部の移動方向に形成され、前記突部の前進方向側の移動を規制する係止部とを備え、
通常洗浄は、前記シール部の摩擦によって前記洗浄ノズル及び前記洗浄範囲調節部を一体で洗浄位置まで移動して人体局部の洗浄を行い、
広範囲洗浄は、前記突部が前記係止部に係止されることで前記洗浄範囲調節部を係止し、前記洗浄ノズルのみを更に移動させることで前記洗浄口の流体を吐出できる前記吐出孔の数を増加させて吐出面積を拡大させて洗浄範囲を定め、前記シール部によって前記洗浄ノズルと前記洗浄範囲調節部とが一体となって移動することで、定めた吐出面積を保ちながら前記洗浄ノズルが洗浄位置へ後退して、洗浄範囲を変化することなく一定の洗浄状態で広範囲洗浄を行うことを特徴とした人体洗浄装置。
【請求項２】
前記駆動手段は、前記洗浄ノズルに取り付けられたラックと、前記本体部に取り付けられたモータによって回転するピニオンとが噛合して前記洗浄ノズルを移動させることを特徴とした請求項１に記載の人体洗浄装置。
【請求項３】
前記洗浄範囲調節部の前記排出部と前記供給部との間に絞り部を設け、絞り部の排出部側で前記シール部の後方に位置し、流体に空気を取り込む吸気孔と、前記洗浄ノズルに、前記通常洗浄と前記広範囲洗浄のそれぞれで前記吸気孔へ空気が供給可能な空気供給口とを備えていることを特徴とした請求項１または請求項２に記載の人体洗浄装置。
【請求項４】
前記洗浄口は、前記洗浄ノズルの移動方向上に第１洗浄口及び第２洗浄口を有し、前記各洗浄口は複数の吐出孔により形成されていることを特徴とした請求項１乃至請求項３のいずれか一項に記載の人体洗浄装置。
【発明の詳細な説明】
【技術分野】
【０００１】
本発明は、人体の局部洗浄を広範囲で行うことができる人体洗浄装置に関するものである。
【背景技術】
【０００２】
従来の便器に取り付けられた人体洗浄装置は、人体の局部洗浄を広範囲に行う際、洗浄ノズルを振動させることによって洗浄範囲の拡大を行う装置や水圧の強弱を制御することによって広範囲の洗浄を行う装置が、特許文献１や特許文献２に開示されている。
【０００３】
この特許文献１で人体洗浄装置は、先端の噴出孔から洗浄水を噴出して人体の局部を洗浄するノズル装置と、このノズル装置を振動させる振動手段及び振動手段の振動パターンを制御する制御装置とで構成されている。このノズル装置は、振動手段により生じるノズルの振動の振幅を可変することで洗浄面積を可変することが可能となっている。このノズルの振幅を可変することによって、人体の局部洗浄を広範囲で行うことができる。
【０００４】
また、特許文献２で人体洗浄装置は、洗浄水の吐水孔から吐水するノズルにおいて、前記吐水孔から洗浄水を吐水する吐水手段と、洗浄水が当たる面積、位置等の吐水態様を洗浄水の水勢を設定する水勢設定手段によって設定された洗浄水の水勢に応じて前記吐水手段を制御することで吐水態様を時間的に変動する構成となっている。さらに、前記吐水手段によって吐水態様の時間的変動を人体が認識しないように洗浄水が吐水されている。
【先行技術文献】
【特許文献】
【０００５】
【特許文献１】特開２００５−１８００７８号公報
【特許文献２】特開２００１−１４０３２３号公報
【発明の概要】
【発明が解決しようとする課題】
【０００６】
上記した特許文献１及び特許文献２で人体洗浄装置は、ノズルの振動や水圧の制御によって擬似的に人体局部の広範囲に洗浄を行っている。このように擬似的に広範囲へ洗浄を行っているため、使用者は一度に局部全体を洗浄することは困難である。また、洗浄部では、断続的に洗浄水が人体局部に当たることで断続的に流量感が変化する。このため、使用者にとっては満足できる流量感を得られないおそれがある。よって、使用者は、人体の局部洗浄時に一定の流量感を伴った広範囲洗浄を切替えて選択することができない。
【０００７】
そこで、本発明は、使用者が一定の流量感を伴い広範囲で人体の局部を洗浄することができる人体洗浄装置を提供する。
【課題を解決するための手段】
【０００８】
上記の課題を解決するために講じた手段は、流体を吐出する洗浄ノズルを移動させて行う人体局部の洗浄について通常洗浄と広範囲洗浄を切替える人体洗浄装置において、洗浄ノズルを収納する本体部と、本体部に対して洗浄ノズルを進退自在に移動させる駆動手段と、洗浄ノズルの移動方向上で洗浄ノズルの先端部に配設された複数の吐出孔からなる洗浄口と、洗浄ノズルの内部を摺動することにより前記洗浄口の面積を可変し、一方に洗浄口へ流体を排出する排出部を有し、他方に流体を供給する供給部を有する洗浄範囲調節部と、洗浄ノズルと洗浄範囲調節部との間に配設されたシール部と、洗浄範囲調節部の供給部側に形成され、本体部に対して平行な突部と、本体部の洗浄範囲調節部の移動方向に形成され、突部の前進方向側の移動を規制する係止部とを備え、通常洗浄は、シール部の摩擦によって洗浄ノズル及び洗浄範囲調節部を一体で洗浄位置まで移動して人体局部の洗浄を行い、広範囲洗浄は、突部が係止部に係止されることで洗浄範囲調節部を係止し、洗浄ノズルのみを更に移動させることで洗浄口の流体を吐出できる吐出孔の数を増加させて吐出面積を拡大させて洗浄範囲を定め、シール部によって洗浄ノズルと洗浄範囲調節部とが一体となって移動することで、定めた吐出面積を保ちながら前記洗浄ノズルが洗浄位置へ後退して、洗浄範囲を変化することなく一定の洗浄状態で人体局部の広範囲洗浄を行う構成となっている。
【０００９】
また、駆動手段は、洗浄ノズルに取り付けられたラックと、本体部に取り付けられたモータによって回転するピニオンとが噛合して洗浄ノズルを移動させる構造となっている。
【００１０】
これらの場合、洗浄範囲調節部の排出部と供給部との間に絞り部を設け、絞り部の排出部側でシール部の後方に位置し、流体に空気を取り込む吸気孔と、洗浄ノズルに、通常洗浄と広範囲洗浄のそれぞれで吸気孔へ空気が供給可能な空気供給口とを備えているとよい。  
【００１１】
そして、洗浄口は、洗浄ノズルの移動方向上に第１洗浄口及び第２洗浄口を有し、各洗浄口は複数の吐出孔により形成されているとよい。
【発明の効果】
【００１２】
本発明によれば、この人体洗浄装置は、洗浄ノズルの内部に配設された洗浄範囲調節部が、洗浄ノズルに対して摺動することによって、流体を吐出できる吐出孔の数を増やすことで洗浄ノズルの洗浄口の洗浄範囲を広げることができる。このように洗浄範囲を広げることで、一定の流量を伴って広範囲に洗浄することができ、使用者は流量感を得ることができる。この時、広範囲の洗浄によって洗浄口の吐出面積を増加させると、洗浄口から吐出される流体の圧力が弱くなるため洗浄の強さは弱くなる。また、広範囲の洗浄であるため、洗浄ノズルは使用者に与える流量感を増すことができる。これにより、人体洗浄装置は、広範囲で弱い圧力及び流量感を一定に保ったまま優しい洗浄を行うことが可能である。更に、断続的な局部洗浄でないために、使用者は不快感を感じることなく洗浄が可能である。また、洗浄範囲調節部と洗浄ノズルとの間のシール部は、洗浄口付近の流体が逆流して洗浄範囲調節部と洗浄ノズルの隙間に進入することを防ぐことが可能である。このシール部は、洗浄ノズルと洗浄範囲調節部との間で摩擦を発生させるため、駆動手段によって洗浄ノズルを移動させると、一体となって洗浄範囲調節部も移動させることが可能となっている。また、人体洗浄装置は、シール部によって洗浄ノズルと洗浄範囲調節部とが一体となって移動するので、洗浄ノズルと洗浄範囲調節部の相対位置がずれることがないため、洗浄範囲及び流量が変わることなく洗浄位置の調整が可能となっている。
【００１３】
この人体洗浄装置は、洗浄ノズルに取り付けられたラックと、本体部に取り付けられたモータによって回転するピニオンとが噛み合うことで洗浄ノズルを進退方向へ移動させることができ、ラックとピニオンの組合せにより細かな洗浄ノズルの位置調整ができる。
【００１４】
更に、吸気孔の直前に絞り部を設けている人体洗浄装置は、吸気孔付近での流速を増加させて洗浄範囲調節部内の流体に空気を容易に吸気することで泡沫効果をもたらす事ができる。また、洗浄範囲の変更時は、空気供給口と吸気孔の位置関係を利用しているので、流体の吐出する吐出面積を変更しても流路の切替え等がないため、絞り部周辺での泡沫生成のみで洗浄口から吐出される流体に十分な泡沫効果を持たせることが可能である。加えて、洗浄時に使用者が感じる流量感は、泡沫効果によって流体に吸気されたことで空気を含むため増すことが可能となる。
【００１５】
また、洗浄口に第１洗浄口と第２洗浄口を設けることで、洗浄範囲と流量感を明確にし、使用者が洗浄の違いを体感できる。更に、洗浄口が２種類の切替えであるため、人体洗浄装置は、簡易な洗浄口の切替え構造で良く、複雑な制御を用いなくとも良い。また、上記記載のように第１洗浄口及び第２洗浄口から吐出される流体は同じ流路を通過しているため、同時に泡沫効果を発生することができ、また維持もできる。さらに、第１洗浄口と第２洗浄口は複数の吐出孔によって形成されている。また、モータを制御することで洗浄ノズルの移動を任意に制御できる。これにより、洗浄に使用する吐出孔の数を調整することによって、人体洗浄装置は、多段階の洗浄範囲を持つ洗浄が可能となる。
【図面の簡単な説明】
【００１６】
【図１】本発明の実施形態における洗浄時の人体洗浄装置の側面図。
【図２】図１に示す人体洗浄装置の洗浄ノズルの（ａ）上視図、（ｂ）側面図、（ｃ）Ａ−Ａ断面図。
【図３】図１に示す人体洗浄装置の洗浄範囲調節部の（ａ）上視図、（ｂ）側面図、（ｃ）Ｂ−Ｂ断面図。
【図４】通常洗浄時の洗浄ノズル及び洗浄範囲調節部の位置関係の（ａ）上視図、（ｂ）側面図、（ｃ）Ｃ−Ｃ断面図。
【図５】広範囲洗浄時の洗浄ノズル及び洗浄範囲調節部の位置関係の（ａ）上視図、（ｂ）側面図、（ｃ）Ｄ−Ｄ断面図。
【図６】人体洗浄装置の収納時で洗浄ノズルの第１突部及び洗浄範囲調節部の第２突部と本体部との関係の断面図。
【図７】人体洗浄装置の最大ずらし位置での洗浄ノズルの第１突部及び洗浄範囲調節部の第２突部と本体部との関係の断面図。
【図８】洗浄ノズルと洗浄範囲調節部との動作（最大の位置で局部の洗浄を行う場合）を示す説明図。
【００１７】
【図９】洗浄ノズルと洗浄範囲調節部との動作（任意の位置で局部の洗浄を行う場合）を示す説明図。
【発明を実施するための形態】
【００１８】
以下、本発明の実施形態に係わる人体洗浄装置１の構成について図１を参照にして説明する。図１は、洗浄時の人体洗浄装置１の側面図を示している。
【００１９】
この人体洗浄装置１は、図１で示すとおり、便器（図示せず）に取り付ける本体部２０と、局部の洗浄を行う洗浄ノズル３０及び洗浄範囲調節部４０と、この洗浄ノズル３０及び洗浄範囲調節部４０を駆動する駆動手段とで構成されている。この駆動手段５０は、洗浄ノズル３０に取り付けられたラック５１と本体部２０に取り付けられたモータ５２によって回転するピニオン５３とが噛み合うことで洗浄ノズル３０及び洗浄範囲調節部４０を洗浄位置まで前進させる。この洗浄位置は、人体の局部洗浄に適した位置であり、洗浄ノズル３０が到達すると洗浄が行なわれる。更に、このモータ５２は、パルス波による制御によって前進方向及び後退方向の両方向に回転可能であるため、洗浄ノズル３０は進退方向のどちらにおいても移動可能である。また、洗浄範囲は、駆動手段５０によって洗浄ノズル３０と洗浄範囲調節部４０との位置調整を行うことで調整している。
【実施例】
【００２０】
次に、本発明の実施形態の洗浄ノズル３０及び洗浄範囲調節部４０について図２〜図３を参照して説明する。図２は、洗浄ノズル３０の（ａ）上視図、（ｂ）側面図、（ｃ）Ａ−Ａ断面図を示しており、図３は、洗浄範囲調節部４０の（ａ）上視図、（ｂ）側面図、（ｃ）Ｂ−Ｂ断面図を示している。
【００２１】
図２（ａ）より、洗浄ノズル３０は筒形状となっており、一方は洗浄口３１が形成され、他方が洗浄範囲調節部４０を挿入するための開口部３２となっている。図２（ａ）及び（ｂ）より、この開口部３２側には、移動方向に対して水平に突部３３が両側面に形成されている。この洗浄口３１は、移動方向上に複数の吐出孔３４を有しており、通常の洗浄範囲の洗浄口３１を第１洗浄口３１ａ、広範囲の洗浄を行うための洗浄口３１を第２洗浄口３１ｂとする。この時、通常範囲の洗浄は第１洗浄口３１ａを使用し、広範囲の洗浄は第１洗浄口３１ａ及び第２洗浄口３１ｂを使用する。また、この洗浄ノズル３０には、洗浄ノズル３０の下面で移動方向に平行な溝を持つラック５１が形成されている。更に、図２（ｃ）より、ラック５１上には、２つの空気供給口３５が洗浄ノズル３０の移動方向で内部に向けて鉛直方向に形成されている。
【００２２】
図３（ａ）に示された洗浄範囲調節部４０は、筒形状になっており、一方は、開口している排出部４１で、他方は移動方向に対して水平方向に延びる流体供給部４２ａを備えた供給部４２が形成されている。また、図３（ｂ）より洗浄範囲調節部４０は、移動方向と水平方向に突部４３を形成している。排出部４１側には、洗浄ノズル３０との間にシール部６０を配設するためのシール溝４４が周方向に形成されている。図３（ｃ）よりこの洗浄範囲調節部４０では、排出部４１と供給部４２の間に絞り部４５が形成されている。更に、この絞り部４５とシール溝４４との間には、移動方向に対して鉛直に吸気孔４６が設けられている。そして、この吸気孔４６は、絞り部４５に近接しており、供給部４２から排出部４１へ流体が流れる際に、絞り部４５を通過することで流速が増し、吸気孔４６からの空気の取り込みが容易となっている。また、この絞りの構造から、洗浄範囲調節部４０の内部は、供給部４２から絞り部４５よりも絞り部４５から排出部４１までの口径の面積が狭くなっているので、流体は泡沫効果を得易くなっている。
【００２３】
図２及び図３より、上記した洗浄ノズル３０の突部３３を第１突部３３、洗浄範囲調節部４０の突部４３を第２突部４３とする。洗浄ノズル３０には、第２突部４３が摺動するための摺動溝３６が洗浄範囲調節部４０の移動方向に形成されている。更に、洗浄範囲調節部４０が移動すると共に流体供給部４２ａも移動するため、洗浄ノズル３０の開口部３２では流体供給部４２ａが移動できるように移動経路３７が設けられている。また、図２に示された洗浄ノズル３０の内部３８は、第１洗浄口３１ａを有し、洗浄範囲調節部４０の挿入が不可能な第１内部３８ａ、第２洗浄口３１ｂを有し、洗浄範囲調節部４０の排出部４１が挿入可能な領域を第２内部３８ｂ、洗浄範囲調節部４０の供給部の挿入可能な領域を第３内部３８ｃとする。第２内部３８ｂは、排出部４１の形状と類似しているため、排出部４１を挿入できる領域を限定している。
【００２４】
次に、本発明の実施形態の洗浄ノズル３０及び洗浄範囲調節部４０の組付け後の通常洗浄時と広範囲洗浄時について図４〜図５を参照して説明する。図４は、通常洗浄時の洗浄ノズル３０及び洗浄範囲調節部４０の位置関係の（ａ）上視図、（ｂ）側面図、（ｃ）Ｃ−Ｃ断面図を示している。図５は、広範囲洗浄時の洗浄ノズル３０及び洗浄範囲調節部４０の位置関係の（ａ）上視図、（ｂ）側面図、（ｃ）Ｄ−Ｄ断面図を示している。
【００２５】
図４より、通常洗浄時の洗浄ノズル３０に対して洗浄範囲調節部４０は、第２洗浄口３１ｂを塞ぐようにして排出部４１が挿入可能な最深の位置まで挿入されている。また、図４（ｃ）に示されているように、洗浄範囲調節部４０の吸気孔４６と洗浄ノズル３０の空気供給口３５とが同軸上にあるため空気を十分に取り込むことが可能となっている。また、シール部６０は、洗浄ノズル３０と洗浄範囲調節部４０との間に設けられ、洗浄範囲調節部４０のシール溝４４に沿って環状になっており、洗浄範囲調節部４０の先端から所定距離に位置している。
図５より、広範囲洗浄時の洗浄範囲調節部４０は、通常洗浄時の位置よりも洗浄ノズル３０に対して相対的に後退している。この状態で、第１洗浄口３１ａ及び第２洗浄口３１ｂが開放されることで広範囲の洗浄が可能となっている。また、洗浄範囲調節部４０の吸気孔４６と通常洗浄時とは異なる洗浄ノズル３０の空気供給口３５とが同軸上にあるため空気を取り込むことが可能である。
【００２６】
次に、本発明の実施形態で人体洗浄装置１の収納時及び広範囲洗浄時で洗浄ノズル３０の第１突部３３及び洗浄範囲調節部４０の第２突部４３と本体部２０との関係について、図６、図７を参照して説明する。図６は、人体洗浄装置１の収納時で洗浄ノズル３０の第１突部３３及び洗浄範囲調節部４０の第２突部４３と本体部２０との関係を示しており、図７は、人体洗浄装置１の最大ずらし位置での洗浄ノズル３０の第１突部３３及び洗浄範囲調節部４０の第２突部４３と本体部２０との関係を示している。
【００２７】
図６、図７より、本体部２０は、洗浄ノズル３０及び洗浄範囲調節部４０の移動することで、上記した第１突部３３及び第２突部４３が本体部２０を摺動するための第１摺動部２１及び第２摺動部２２を設けている。第１突部３３が洗浄ノズル３０及び洗浄範囲調節部４０の移動方向に摺動するための第１摺動部２１は、本体部２０に第１突部３３の摺動軌跡上に形成された溝である。また、第２突部４３が洗浄ノズル３０及び洗浄範囲調節部４０の移動方向に摺動するための第２摺動部２２は、摺動軌跡上の前後方向に形成された２つの突状の係止部２３ａ、２３ｂによって形成されており、摺動軌跡上の前方の係止部２３ａを第１係止部２３ａ、後方の係止部２３ｂを第２係止部２３ｂとする。第１摺動部２１は、摺動軌跡上に形成されたの溝の両端によって第１突部３３を係止し、第２摺動部２２は、前方の第１係止部２３ａでは第２突部４３を係止し、後方の第２係止部２３ｂで流体供給部４２ａを係止する。摺動距離は、第２突部４３に比べて第１突部３３の摺動距離が長いために、洗浄ノズル３０と洗浄範囲調節部４０との間に移動に差が生じるので通常洗浄と広範囲洗浄を行うことができる。図６では、収納時の人体洗浄装置１の状態を示している。この時、洗浄ノズル３０は、第１突部３３が第１摺動部２１の摺動軌跡上の後退側で係止されていることで収納される位置を定めることができる。一方、洗浄範囲調節部４０は、流体供給部４２ａの洗浄範囲調節部４０に対して水平部分が第２係止部２３ｂに係止されることによって位置が定められている。図７の最大ずらし位置において、洗浄ノズル３０は、第１突部３３が第１摺動部２１の摺動軌跡上の前進側で係止されており、一方、洗浄範囲調節部４０は、第２突部４３が第１係止部２３ａに係止される。これにより、洗浄ノズル３０及び洗浄範囲調節部４０の位置が広範囲洗浄の位置に定められている。なお、通常洗浄時は、洗浄ノズル３０の第１突部３３が第１摺動部２１の摺動軌跡上の前進側で係止される前に、洗浄範囲調節部４０の第２突部４３が第１係止部２３ａに係止されたところで通常洗浄時の位置が定められている。
【００２８】
次に、本発明の動作について図８を参照に説明する。図８は洗浄ノズル３０と洗浄範囲調節部４０の動作（最大の位置で局部の洗浄を行うの場合）の説明図を示している。
【００２９】
図８（ａ）は、洗浄ノズル３０が収納されている状態である。この時、洗浄ノズル３０と洗浄範囲調節部４０は、上記した図６のように突部３３、４３及び流体供給部４２ａと本体部２０の摺動部２１、２２及び係止部２３ａ、２３ｂによって定められた位置に収納されている。洗浄ノズル３０と洗浄範囲調節部４０の位置関係から、第１洗浄口３１ａは常に流体を吐出可能にし、第２洗浄口３１ｂが塞がれた通常の洗浄範囲の状態を保っている。図８（ｂ）は、洗浄位置での洗浄ノズル３０を示している。この時、洗浄ノズル３０及び洗浄範囲調節部４０が駆動手段５０及びシール部６０によって、洗浄ノズル３０及び洗浄範囲調節部４０は洗浄位置まで一体となって前進する。この洗浄位置まで前進させるとき、モータ５２に取り付けられたピニオン５３が、洗浄ノズル３０のラック５１と噛合することで洗浄ノズル３０が移動する。そして、シール部６０の摩擦によって、洗浄ノズル３０及び洗浄範囲調節部４０が一体となって移動する。これにより、洗浄ノズル３０と洗浄範囲調節部４０との位置関係がずれないために、通常の洗浄範囲を保って前進できる。また、通常時の洗浄位置は、第１洗浄口３１ａの中心と同軸とし、洗浄範囲調節部４０の第２突部４３が本体部２０の第２摺動部２２である第１係止部２３ａに係止されることで定められている。図８（ｃ）は、通常洗浄から広範囲の洗浄への調節（最大の位置）を示している。通常の洗浄から広範囲の洗浄を行うには、図８（ｂ）の状態から、駆動手段５０によって洗浄ノズル３０を前進させる。この時、洗浄範囲調節部４０は、第２突部４３が第１係止部２３ａと係止しているために移動することができない。これにより、洗浄ノズル３０のみが前進するので、洗浄範囲調節部４０によって塞がれていた第２洗浄口３１ｂからも流体を吐出できるようになり、広範囲の洗浄が可能となる。図８（ｄ）は、広範囲洗浄の場合の洗浄位置を示している。図８（ｃ）で洗浄範囲を広範囲にすることができたが、洗浄ノズル３０のみが前進するので、第１洗浄口３１ａ及び第２洗浄口３１ｂから成る洗浄口３１の洗浄位置がずれることとなる。このため、駆動手段５０は、洗浄ノズル３０の洗浄口３１の中心位置が洗浄位置まで到達するように洗浄ノズル３０を後退させることで位置の調整を行う。この時、シール部６０によって洗浄ノズル３０と洗浄範囲調節部４０が一体となって後退するために、洗浄口３１は、広範囲の洗浄範囲を保って洗浄位置まで移動が可能となる。図８（ｅ）は、収納が完了する前の状態を示している。広範囲の洗浄終了後に、駆動手段５０は洗浄ノズル３０を収納位置まで後退させる。この時、シール部６０によって洗浄ノズル３０と洗浄範囲調節部４０が一体となって後退するが、洗浄範囲調節部４０の流体供給部４２ａが、第２摺動部２２の第２係止部２３ｂに係止されるので、洗浄ノズル３０よりも先に洗浄範囲調節部４０が収納位置に到達する。そして、図８（ｆ）より、洗浄範囲調節部４０が係止された後、駆動手段５０によって洗浄ノズル３０のみを後退させることで、洗浄口３１は、第２洗浄口３１ｂを洗浄範囲調節部４０によって塞がれる。これにより、洗浄ノズル３０と洗浄範囲調節部４０は、洗浄口３１を通常洗浄可能な状態で収納される。
【００３０】
次に、本発明の動作について図９を参照に説明する。図９は洗浄ノズル３０と洗浄範囲調節部４０の動作（任意の位置で局部の洗浄を行うの場合）の説明図を示している。
図９（ａ）は、洗浄ノズル３０が収納されている状態である。この時、洗浄ノズル３０と洗浄範囲調節部４０は、上記した図６のように突部３３、４３及び流体供給部４２ａと本体部２０の摺動部２１、２２及び係止部２３ａ、２３ｂによって定められた位置に収納されている。洗浄ノズル３０と洗浄範囲調節部４０の位置関係から、第１洗浄口３１ａは常に流体を吐出可能にし、第２洗浄口３１ｂが塞がれた通常の洗浄範囲の状態を保っている。図９（ｂ）は、洗浄位置での洗浄ノズル３０を示している。この時、洗浄ノズル３０及び洗浄範囲調節部４０が駆動手段５０及びシール部６０によって、洗浄ノズル３０及び洗浄範囲調節部４０は洗浄位置まで一体となって前進する。この洗浄位置まで前進させるとき、モータ５２に取り付けられたピニオン５３が、洗浄ノズル３０のラック５１と噛合することで洗浄ノズル３０が移動する。そして、シール部６０の摩擦によって、洗浄ノズル３０及び洗浄範囲調節部４０が一体となって移動する。これにより、洗浄ノズル３０と洗浄範囲調節部４０との位置関係がずれないために、通常の洗浄範囲を保って前進できる。また、通常時の洗浄位置は、第１洗浄口３１ａの中心と同軸とし、洗浄範囲調節部４０の第２突部４３が本体部２０の第２摺動部２２である第１係止部２３ａに係止されることで定められている。図９（ｃ）は、通常洗浄から広範囲の洗浄への調節（任意の位置）を示している。通常の洗浄から広範囲の洗浄を行うには、図９（ｂ）の状態から、駆動手段５０によって洗浄ノズル３０を前進させる。この時、洗浄範囲調節部４０は、第２突部４３が第１係止部２３ａと係止しているために移動することができない。これにより、洗浄ノズル３０のみが前進するので、洗浄範囲調節部４０によって塞がれていた第２洗浄口３１ｂからも流体を吐出できるようになり、広範囲の洗浄が可能となる。このとき、第２洗浄口３１ｂの先浄水を吐出する面積は、駆動手段５０のラック５１と噛み合うピニオン５３を回転させるモータ５２の回転数等を調整することで、洗浄ノズル３０の前進を任意の位置で停止させることが可能である。これにより、複数の吐出孔３４からなる第２洗浄口３１ｂは、洗浄に使用する吐出孔３４の数を任意で調整することができる。さらに、第２洗浄口３１ｂは、最大ずらし位置での吐出孔３４の数よりも少ない吐出孔３４の数で洗浄口３１を形成するため、最大ずらし位置の洗浄範囲に比べて、狭い洗浄範囲での洗浄が可能となる。図９（ｄ）は、広範囲洗浄の場合の洗浄位置を示している。図９（ｃ）で洗浄範囲を広範囲にすることができたが、洗浄ノズル３０のみが前進するので、第１洗浄口３１ａ及び第２洗浄口３１ｂから成る洗浄口３１の洗浄位置がずれることとなる。このため、駆動手段５０は、洗浄ノズル３０の洗浄口３１の中心位置が洗浄位置まで到達するように洗浄ノズル３０を後退させることで位置の調整を行う。この時、シール部６０によって洗浄ノズル３０と洗浄範囲調節部４０が一体となって後退するために、洗浄口３１は、広範囲の洗浄範囲を保って洗浄位置まで移動が可能となる。図９（ｅ）は、収納が完了する前の状態を示している。広範囲の洗浄終了後に、駆動手段５０は洗浄ノズル３０を収納位置まで後退させる。この時、シール部６０によって洗浄ノズル３０と洗浄範囲調節部４０が一体となって後退するが、洗浄範囲調節部４０の流体供給部４２ａが、第２摺動部２２の第２係止部２３ｂに係止されるので、洗浄ノズル３０よりも先に洗浄範囲調節部４０が収納位置に到達する。そして、図９（ｆ）より、洗浄範囲調節部４０が係止された後、駆動手段５０によって洗浄ノズル３０のみを後退させることで、洗浄口３１は、第２洗浄口３１ｂを洗浄範囲調節部４０によって塞がれる。これにより、洗浄ノズル３０と洗浄範囲調節部４０は、洗浄口３１を通常洗浄可能な状態で収納される。
なお、本発明は前記実施形態に限定されるものではなく、以下に示す態様に変更してもよい。
【００３１】
・空気供給口３５は、移動方向に長軸を持ち、吸気孔４６の移動範囲と同様な１つの口が設けられていても良い。
【００３２】
・人体洗浄装置１の洗浄範囲は、駆動手段５０のモータ５２の回転方向と回転数を制御することによって、洗浄ノズル３０と洗浄範囲調節部４０を細かく多段階の洗浄範囲に切り替えることが可能な構造でも良い。
【符号の説明】
【００３３】
１  人体洗浄装置
２０  本体部
２３ａ  第１係止部（係止部）
３０  洗浄ノズル
３１  洗浄口
３１ａ  第１洗浄口
３１ｂ  第２洗浄口
３５  空気供給口
４０  洗浄範囲調節部
４１  排出部
４２  供給部
４３  第２突部（突部）
４５  絞り部
４６  吸気孔
５０  駆動手段
５１  ラック
５２  モータ
５３  ピニオン
６０  シール部
【図１】
0005598047.tif 000002
【図２】
0005598047.tif 000003
【図３】
0005598047.tif 000004
【図４】
0005598047.tif 000005
【図５】
0005598047.tif 000006
【図６】
0005598047.tif 000007
【図７】
0005598047.tif 000008
【図８】
0005598047.tif 000009
【図９】
0005598047.tif 000010